(57)【要約】【課題】光変調装置組立体の小型化を図り、より小型でかつコストの抑制が可能な画像投射装置を提供する。【解決手段】基体１２上に形成された１次元型の光変調装置１３と、光変調装置１３を変調する駆動部１６、１７と、これらを支持する支持部材２５とより構成され、光変調装置１３と駆動部１６、１７とを、支持部材２５の異なる面上にそれぞれ配置して構成する。【選択図】図２
2007233187.tif 000002
【特許請求の範囲】
【請求項１】
基体上に形成された１次元型の光変調装置と、光変調装置を変調する駆動部と、これらを支持する支持部材とより構成され、
前記光変調装置と駆動部とが、前記支持部材の異なる面上にそれぞれ配置されて成る
ことを特徴とする光変調装置組立体。
【請求項２】
前記光変調装置が前記支持部材の表面に配置され、前記駆動部が前記支持部材の裏面に配置されて成る
ことを特徴とする請求項１記載の光変調装置組立体。
【請求項３】
前記光変調装置が前記支持部材の表面に配置され、前記駆動部が前記支持部材の側面に配置されて成る
ことを特徴とする請求項１記載の光変調装置組立体。
【請求項４】
前記支持部材がセラミックより成る
ことを特徴とする請求項１記載の光変調装置組立体。
【請求項５】
前記１次元型の光変調装置が、回折格子より成る
ことを特徴とする請求項１記載の光変調装置組立体。
【請求項６】
光源と、前記光源から出射される光を情報に応じて変調する光変調部と、前記光変調部から出射される光を投射する投射光学部と、を少なくとも有する画像投射装置であって、
前記光変調部には一以上の光変調装置組立体が配置され、
前記光変調装置組立体は、基体上に形成された１次元型の光変調装置と、光変調装置を変調する駆動部と、これらを支持する支持部材とより構成され、
前記光変調装置と駆動部とが、前記支持部材の異なる面上にそれぞれ配置されて成る
を特徴とする画像投射装置。
【発明の詳細な説明】
【技術分野】
【０００１】
本発明は、例えば回折格子より成る１次元型の光変調装置を有する光変調装置組立体及びこれを用いた画像投射装置に関する。
【背景技術】
【０００２】
光学的な機能を有する微小電気機械素子、いわゆるＭＥＭＳ（Micro Electro Mechanical Systems）素子を用いた製品開発は現在数多く行われており、その多くは光の進行方向の制御や光のオン／オフを行うような、広義の光スイッチングシステムとして用いられている。この光スイッチングシステムの一種として、回折格子の機能を有する光ＭＥＭＳ素子より成るいわゆる１次元型の光変調装置が知られている（特許文献１及び２参照。）。
【０００３】
図８は、このような1次元型の光変調装置の一例の要部の概略斜視構成図である。この光変調素子１は、基板１２上に形成した下部電極３３と、この下部電極３３をブリッジ状に跨ぐように配置したリボン状の第1及び第２の電極３１及び３２とを有して構成される。第１及び第２の電極３１及び３２は例えば交互に配置され、これら第１及び第２の電極３１及び３２と下部電極３３とは、その間の空間によって電気的に絶縁されている。また、第１及び第２の電極３１及び３２は、例えばその両端が屈曲されて支持部３１Ａ及び３１Ｂ、３２Ａ及び３２Ｂとされ、この支持部３１Ａ及び３１Ｂ、３２Ａ及び３２Ｂを介して基板１２に支持されて構成される。
【０００４】
ここで基板１２は、例えば、シリコン（Ｓｉ）やガリウム砒素（ＧａＡｓ）などの半導体基板上に絶縁膜を形成した基板、石英基板やガラス基板のような絶縁性基板などが用いられる。下部電極３３は、不純物をドーピングした多結晶シリコン膜、金属膜（多結晶Ｗ，Ｃｒ）などで形成される。第１及び第２の電極３１及び３２は、例えばシリコン窒化膜（ＳｉＮ膜）等の絶縁性材料より成る下地膜７と、その上面に形成され、導電性を有する材料から成る上部電極８とから構成される。この場合上部電極８としては、例えば高い反射率を有するＡｌ等より成り、少なくともその上面中央部が反射領域９として構成される。
【０００５】
図８においては、１つおきに設けた第１の電極３１を例えば固定電極とし、第２の電極３２を可動電極としてこれに電圧を印加して、静電引力によって基板１２側にたわませた状態を示す。図示の例においては、３本の第１の電極３１と２本の第２の電極のみを示しているが、光変調素子１としては、１本〜数本ずつ、例えば３本ずつの合計６本の第１及び第２の電極３１及び３２より構成することができる。図８に示す状態の第１の電極３１及び第２の電極３２の長手方向の概略断面構成図を図９Ａ及びＢにそれぞれ示す。
上述したように、第２の電極３２に電圧を印加すると、下部電極３３は例えば接地状態にあるので、第２の電極３２と下部電極３３との間に静電気力（クーロン力）が発生し、この静電気力によって第２の電極３２が下部電極３３側に変位する。そして、このような第２の電極３２の変位に基づき、第２の電極３２と第１の電極３１とによって反射型の回折格子が形成される。図９Ｂにおいて、電圧を印加しない状態の第２の電極３２の形状を破線で示す。
ここで、隣接する第１の電極３１の間の間隔をｄ、第１及び第２の電極３１及び３２に入射する光の入射角をθｉ、波長をλ、回折角をθmとすると、
ｄ×［ｓｉｎ（θｉ）−ｓｉｎ（θm）］＝ｍ×λ
で表すことができる。ここで、ｍは次数であり、０，±１，±２・・・の値をとる。
そして、第２の電極３２の頂面と第１の電極３１の頂面の高さの差が（λ／４）のとき、回折光の光強度は最大の値となる。第２の電極３２に印加する電圧を適切に制御することによって、回折角度を連続的に変化させることが可能である。
【０００６】
図１０においては、各電極の断面構成図を示し、図１０Ａは電圧を印加しない非駆動状態、図１０Ｂは電圧を印加した駆動状態を示す。図１０Ａ及びＢにおいて、図８と対応する部分には同一符号を付して重複説明を省略する。第１及び第２の電極３１及び３２の上側表面を反射面とすることによって、図１０Ａに示すように、非駆動状態では、入射光Ｌｉに対し入射方向に戻る０次光Ｌ０が反射される。電圧を印加した駆動状態では、図１０Ｂに示すように、第２の電極３２が矢印Ｓで示すように下部電極３３側に変位して回折格子が構成され、入射光Ｌｉに対し±１次回折光Ｌ（＋１）及びＬ（−１）が回折される。
この回折作用により、すなわち第２の電極３２の駆動位置に応じてその光の反射方向が異なることを利用して、一方向の反射光を検出してスイッチ機能を持たせた光スイッチに適用できる。またこのような回折素子を多数並列配置して、所定の方向へ反射（回折）する光の強度を連続的に変える光変調装置として用いることができる。具体的には、例えば画像表示素子として、米国Silicon Light Machine社が開発した回折ライトバルブ（ＧＬＶ：Grating Light Valve）が知られている。この回折ライトバルブをプロジェクターの光変調素子として用いる場合には、第１及び第２の電極を一列に並べてできる１次元の画像をスキャニング、すなわち走査照射することによって２次元の画像を表示することができる。
【０００７】
更に、このような光変調素子において、第１及び第２の電極がその幅方向に傾斜するいわゆるブレーズ構造を採用することで、より高いコントラスト、輝度を実現することが可能である。これは、ブレーズ構造として電極を傾けることによって、回折光を２方向から１方向に限定できるためである。
図１１Ａ及びＢはこの様子を示す。図１１Ａ及びＢは、第１及び第２の電極３１及び３２の概略断面構造を省略して示したものであり、図１１Ａにおいては、電圧を印加しない非駆動状態を示し、入射光Ｌ０に対し０次回折光Ｌ０と２次回折光Ｌ２が生じている様子を示す。これに対し、図１１Ｂに示すように、1つおきの第２の電極３２に適切な電圧を印加すると、静電引力により下部電極３３側にこれら第２の電極３２がたわみ、回折格子が構成され、入射光Ｌ０に対し＋1次回折光Ｌ１のみが生じる。したがって、プロジェクターなどの光学装置にこのような光変調素子を用いる場合は、1次回折光が射出される方向に空間フィルターを設けることによって、より高いコントラスト及び輝度を実現できることとなる。
例えばＭ×Ｎ（例えば１９２０×１０８０）の画素（ピクセル）から構成された２次元画像を表示するためには、Ｎ個（＝１０８０個）の光変調素子から光変調装置を構成すればよい。更には、カラー表示のためには、３つの光変調装置組立体を用いればよい。
【特許文献１】特許第３４０１２５０号公報
【特許文献２】特許第３１６４８２４号公報
【発明の開示】
【発明が解決しようとする課題】
【０００８】
上述したような光変調装置をモジュールに組み込んだ光変調装置組立体の一例の概略断面構成図を図１２に示す。この光変調装置組立体１０は、例えば図８に示す構成の光変調素子が基体１２上に多数配置されて成る光変調装置１３を用いるもので、この光変調装置１３の周囲はガラス等の光透過性部材から成るカバー部１５に覆われ、低融点金属材料等より成る封止材１４により例えば気密に基体１２上に接合される。そしてこの光変調装置１３に隣接してこれを駆動する駆動部１６及び１７いわゆるドライバーチップが、光変調装置１３と共に、支持部材２５上に配置される。支持部材２５には、外部の電圧供給手段等に接続される配線構造が形成されており、例えば光変調装置１３及び駆動部１６及び１７を配置する側の面の周囲に枠体２６及び２７を設け、枠体２６及び２７の内側に光透過性材料より成る埋め込み樹脂２４により光変調装置１３と駆動部１６及び１７とが埋め込まれる。支持部材２５の裏面には例えばこの光変調装置組立体１０を組み込む装置内への接合部４１及び４２が設けられ、また図示しないがヒートシンクなどの排熱部材が必要に応じて設けられる。
【０００９】
このような光変調装置組立体を、上述したようなプロジェクターの光変調装置として用いる場合、光学系との光軸合わせや焦点距離の調整などにおいて精度良く位置合わせをする必要がある。このため、レーザ光等を照射した場合の光変調装置の発熱や、駆動部の発熱による温度上昇に対して、光変調装置を支持する支持部材の熱膨張による影響を最小減に抑制することが要求される。
このため、例えば線膨張係数の比較的小さい材料により支持部材を構成することが考えられるが、このような材料は比較的高価であることから、コストを低減化するためには小型化が重要となる。
【００１０】
しかしながら、上述したような例えばプロジェクターの光変調素子として回折格子型の光変調装置を用いる場合は、図１３又は図１４に示すように、光変調装置１３に対して、例えば４つの駆動部１６〜１９を設けることが必要であり、この場合支持部材２５全体の面積が増大してしまう。図１３においては、支持部材２５の上面の開口部２５ａに光変調装置１３と駆動部１６〜１９を配置した場合、図１４においては、支持部材２５の上面の開口部２５ａに光変調装置１３のみを配置した例をそれぞれ示す。図１３中矢印Ｄ−Ｄ線状の断面構成が図１２に示す断面図となる。支持部材２５の面積は、光変調装置組立体１０全体のサイズを大きくしてしまうのに加え、コストに大きく影響することから、その縮小化が望まれる。
【００１１】
以上の問題に鑑みて、本発明は、光変調装置組立体の小型化を図るとともにコスト高を抑制し、より小型でかつコストの抑制が可能な画像投射装置を提供することを目的とする。
【課題を解決するための手段】
【００１２】
上記課題を解決するため、本発明による光変調装置組立体は、基体上に形成された１次元型の光変調装置と、光変調装置を変調する駆動部と、これらを支持する支持部材とより構成され、光変調装置と駆動部とを、支持部材の異なる面上にそれぞれ配置して構成する。
【００１３】
また、本発明による画像投射装置は、光源と、この光源から出射される光を情報に応じて変調する光変調光学部と、光変調光学部から出射される光を投射する投射光学部と、を少なくとも有する画像投射装置であって、光変調光学部には一以上の光変調装置組立体を配置して、光変調装置組立体を、基体上に形成された１次元型の光変調装置と、光変調装置を変調する駆動部と、これらを支持する支持部材とより構成して、光変調装置と駆動部とを、支持部材の異なる面上にそれぞれ配置する構成とする。
【発明の効果】
【００１４】
本発明によれば、光変調装置と駆動部とを、支持部材の異なる面にいわば立体的に配置することによって、支持部材の小型化を図り、光変調装置組立体の小型化、コスト高の抑制を図ることができる。
また、本発明の光変調装置組立体を用いることによって、小型でかつコストの抑制が可能な画像投射装置を提供することができる。
【発明を実施するための最良の形態】
【００１５】
以下本発明を実施するための最良の形態の例を説明するが、本発明は以下の例に限定されるものではない。
先ず、本発明の光変調装置組立体に用いることができる1次元型の光変調装置の一例について図面を参照して説明する。
この場合、回折格子の機能を有する光変調装置を示し、その要部の概略平面構成を図１に示す。この光変調装置１３は、シリコン等の基体１２上に、例えば不純物がドーピングされたポリシリコンから成る下部電極３３と、この下部電極３３とは空間を介して対向し、両端の支持部により張架されたリボン状の第１の電極３１及び第２の電極３２とを備える構成とされる。第１及び第２の電極３１及び３２は、ＳｉＮ等の誘電体材料より成る下層とＣｕを例えば０．５重量％添加したＡｌ等より成る上層の光反射層との積層構造とされる。これら第１及び第２の電極３１及び３２と、下部電極３３との位置関係を明確にするために、第１の電極３１及び下部電極３３に斜線を付して示す。第１及び第２の電極３１及び３２は、その長手方向を矢印Ｘ、幅方向を矢印Ｙで示すように、幅方向（Ｙ方向）に交互に並置配列され、１〜数本ずつ、図示の例では３本ずつの第１の電極３１及び第２の電極３２によって、回折格子型の光変調素子が構成される。
【００１６】
ここで例えば第１の電極３１を固定電極とし、第２の電極３２を可動電極とする。そして、可動電極となる第２の電極３２を、情報に対応したオン／オフを行う共通の制御電極に、接続端子部（図示せず）を介して接続する。固定電極となる第１の電極３１は、共通のバイアス電極（図示せず）に同様に接続される。バイアス電極は、複数の第１の電極３１、例えば全ての第１の電極３１に共通とされており、バイアス電極の延在部であるバイアス電極端子部（図示せず）を介して駆動回路等の外部回路に接続され、接地される。下部電極３３も複数の光変調素子において共通とされ、下部電極３３の延在部である下部電極用端子部（図示せず）を介して駆動回路等の外部回路に接続され、接地される。なお、製造プロセス時のばらつき等を考慮して、一部の固定電極すなわち第１の電極３１に例えば光変調素子毎に、或いは共通の適切なバイアス電圧を印加してもよい。
【００１７】
なお、図１における矢印Ｂ−Ｂ線上の第１の電極３１の概略断面構成図は、前述の図９Ａにおいて説明した例と同様であり、図１における矢印Ａ−Ａ線上の第２の電極３２の概略断面構成図は、駆動状態においては、前述の図９Ｂにおいて説明した例と同様となる。
すなわち駆動状態では、接続端子部を介して外部回路からの光変調装置１３内の各電極への電圧の印加、具体的には第２の電極３２への電圧の印加、及び、下部電極３３の電圧の印加（接地）に基づき発生した第２の電極３２と下部電極３３との間に働く静電気力（クーロン力）によって、下部電極３３に向かって第２の電極３２が変位する。即ち、外部回路から接続端子部、制御電極を介して第２の電極３２へ電圧を印加し、且つ、外部回路から下部電極端子部を介して下部電極３３へ電圧を印加すると（実際には、下部電極３３は接地状態にある）、第２の電極３２と下部電極３３との間に静電気力（クーロン力）が発生する。そして、この静電気力によって、下部電極３３に向かって第２の電極３２が下方に変位する。第２の電極３２の変位前の状態では、前述の図１０Ａ又は図１１Ａにおいて説明した例と同様に、入射光を入射方向に反射し、変位後の状態では、前述の図１０Ｂ又は図１１Ｂにおいて説明した例と同様に、±1次回折光を反射する。このようなに、２の電極３２の変位に基づき、第２の電極３２と第１の電極３１とによって反射型の回折格子が形成される。
【００１８】
この光変調装置１３を後述する画像投射装置に適用する場合は、光変調素子を１次元アレイ状に配置する。具体的には、第１及び第２の電極３１及び３２の矢印Ｙで示す幅方向に沿って、複数（例えば１０８０個）の光変調素子が配列され、各光変調素子に、それぞれ例えば３本ずつの第１及び第２の電極３１及び３２が並置配列される。すなわち第１及び第２の電極３１及び３２の総計は、例えば、１０８０×６（本）となる。
【００１９】
一例として、下部電極３３の頂面と第１の電極３１の頂面の高さの差Δｈ０及び各電極３１及び３２の寸法形状を示すと、以下の通りとなる。なお、第１の電極３１のピッチ（回折格子のピッチとなる）をｄ、隣接する第１の電極３１と第２の電極３２との間の間隔をＳＰ、第１の電極３１の幅をＷＦ、第１の電極３１の実効長さをＬＦ、第２の電極３２の幅をＷＭ、第２の電極３２の実効長さをＬＮとして示す。
Δｈ０＝８５０ｎｍ
ｄ＝８μｍ
ＳＰ＝４００ｎｍ
ＷF＝４μｍ
ＬF＝２００μｍ
ＷM＝４μｍ
ＬN＝２００μｍ
【００２０】
なお、光変調装置１３の非駆動時における第２の電極３２の頂面と第１の電極３１の頂面の高さの差は、できる限り０に近い値とすることが望ましい。また、光変調装置１３の駆動時における第２の電極３２の頂面と第１の電極３１の頂面の高さの差Δｈ１（第２の電極３２の下方への変位量）の最大値Δｈ１ｍａｘは、光変調素子あるいは光変調装置１３への入射光の波長をλとしたとき、
Δｈ１ｍａｘ＝λ／４
となるように設計される。また、Δｈ１ｍａｘとΔｈ０との関係は、
Δｈ１ｍａｘ≦３Δｈ０
を満足しているものとする。
このような構成において、第２の電極３２に印加する電圧を変化させることで、第２の電極３２の頂面と第１の電極３１の頂面の高さの差Δｈ１（第２の電極３２の下方への変位量）を変化させることができる。そして、これによって、回折光の強度を変化させることができるので、階調制御を行うことができる。
【００２１】
次に、このような構成の光変調装置１３を組み込んだ光変調装置組立体１０の各実施形態例について、以下説明する。
〔１〕第１の実施形態例
図２は、本発明の第１の実施形態例による光変調装置組立体１０の要部の概略断面構成図である。この場合、光変調装置１３が形成された基体１２は支持部材２５の表面側に配置され、駆動部１６及び１７いわゆるドライバーチップは支持部材２５の裏面側に配置した例を示す。なお、図１中矢印Ｘ及びＹで示す方向に対応する方向を、図２において矢印ｘ及びｙとして示す。
光変調装置１３内の各電極が、矢印ｙで示す方向（図２の紙面と直交する方向）に並置配列されており、駆動部として例えば４つのドライバーチップを用いる場合は、駆動部１６及び１７の他、２つの駆動部を、矢印ｙで示す方向に駆動部１６及び１７に隣接して配置することができる。
基体１２上に形成された光変調装置１３の周囲は、図２に示すように、入射光に対して光透過性を有するガラス等より成るカバー部１５に覆われ、低融点金属材料等の封止材１４により例えば気密に接合される。カバー部１５によって覆われた空間は気密状態としてもよく、例えば温度上昇や、光変調装置１３の電極表面の変質を抑制する目的で、水素ガス、ヘリウムガス、窒素ガス、あるいは、これらの混合ガス等を封入してもよい。
【００２２】
また封止材１４よりも外側の基体１２上の表面領域には、図示しないが上述した接続端子部、下部電極端子部、バイアス電極端子部が設けられている。これらの端子部と各種電極を結ぶ配線（例えば、制御電極やバイアス電極等）は、封止材１４によっては短絡しない構造（例えば、制御電極やバイアス電極が絶縁材料で被覆された構造）となっている。
【００２３】
このような端子部及び配線構造を有する支持部材２５としては、例えば３層以上の多層構成とすることができる。即ち、支持部材２５の内部に回路が形成されている態様としてもよい。このような支持部材２５は、例えば、以下に説明する方法で作製することができる。
【００２４】
すなわち、先ず、線膨張係数の比較的低いセラミック材料、例えばアルミナ（ＡｌＯ３、熱伝導率２９Ｗ／（ｍ・Ｋ）等より成るセラミックグリーンシートを準備し、セラミックグリーンシートに、外形打ち抜き加工、及び、パンチングによるビヤホールやスルーホール用の穴を開ける穴開け加工を施す。次いで、セラミックグリーンシートに、接続端子部、ランド部、配線等を、例えばスクリーン印刷法に基づき、例えば金パウダーを含む金属ペーストを用いて形成する。また、別のセラミックグリーンシートにも、同様に、接続端子部、ランド部、配線等を形成する。更には、必要に応じて、セラミックグリーンシートの表面にコンデンサ用材料を貼り合わせる。そして、これらのセラミックグリーンシートを、熱プレス装置を用いて積層して熱プレスし、互いに接着一体化する。このとき、表面及び裏面に枠体２６〜２９を同様に接着一体化してもよい。その後、積層されたセラミックグリーンシート及び金属ペーストを同時に焼成することで、複数の配線構造が積層された支持部材２５を得ることができる。次いで、必要に応じて、支持部材２５の表面及び裏面に、スクリーン印刷法に基づき抵抗ペーストを用いて厚膜抵抗を形成する。こうして、内部（内層）にまで回路が形成された３層以上の多層構成の支持部材２５を得ることができる。
【００２５】
そしてこのような積層構造とされた支持部材２５上に、光変調装置１３及びその駆動を行う駆動部１６及び１７が、例えば樹脂等の接着剤２１〜２３により１５０℃程度の温度で溶融接着される。光変調装置１３と駆動部１６及び１７の接着は同時に行ってもよく、順次接着しても良い。また、図示の例のように接着剤による接着の他、ネジや押さえ込みによる接合でも可能である。
これら光変調装置１３と支持部材２５の表面上の配線構造、または、駆動部１６及び１７と支持部材２５の裏面上の配線構造とは例えばリードワイヤ３４〜３７により接続される。
【００２６】
また、支持部材２５の縁部には、光変調装置１３を配置する表面側に枠体２６及び２７、駆動部１６及び１７を配置する裏面側に枠体２８及び２９が形成される。この枠体２６〜２９は例えば上述の方法により形成するか、又は後から貼り付けてもよい。
そして、光変調装置１３、又は駆動部１６及び１７を埋め込むように、光透過性樹脂等より成る埋め込み樹脂２４、３８が、熱硬化、紫外線硬化等によって形成される。
更に、支持部材２５の枠体２６及び２７の外部には、例えばフレキシブルプリント基板等の配線取り出し部４３及び４４を接続してもよい。配線取り出し部４３及び４４を固定するために、配線取り出し部４３及び４４と枠体２６及び２７の外側表面との間に樹脂等より成るスペーサ４５及び４６を設けてもよい。
【００２７】
このように、光変調装置１３と駆動部１６及び１７とを支持部材２５の対向する表面と裏面とに形成し、いわば立体的な配置とすることにより、支持部材２５の光変調装置１３又は駆動部１６及び１７を設ける領域を有効に活用して実質的にその面積を低減化することができ、光変調装置組立体１０を大幅に小型化することができる。特に、支持部材２５を上述したように線膨張係数の小さい材料として、アルミナ等のセラミックより構成する場合において、その小型化を図ることによって、コストの大幅な低減化を図ることが可能である。
【００２８】
〔２〕第２の実施形態例
図３は、本発明の第２の実施形態例による光変調装置組立体の概略断面構成図である。図３において、図２と対応する部分には同一符号を付して重複説明を省略する。この実施形態例においては、上述の第１の実施形態例と同様に、光変調装置１３が形成された基体１２を支持部材２５の表面側に、駆動部１６及び１７を支持部材２５の裏面側に配置した例を示す。そしてこの場合、駆動部１６及び１７、または光変調装置１３からの発熱を逃がす排熱部４７として、例えばヒートシンクを、駆動部１６及び１７上に配置する。図示の例においては、駆動部１６及び１７の少なくとも一部を覆って支持部材２５の枠体２８及び２９上に差し渡る配置とした例で、枠体２８及び２９の上面に接着剤等によって接合した例を示す。この例においても、駆動部を４つ設ける場合は、図３の紙面と直交する矢印ｙで示す方向に沿って、駆動部１６及び１７と隣接して配置してもよい。
このような構成とする場合においても、上述の第１の実施形態例と同様に、光変調装置組立体１０の小型化を図り、またコストの低減化を図ることができる。更に、排熱部４７を設けることによって、その温度上昇を抑えることが可能となる。
【００２９】
〔３〕第３の実施形態例
図４は、本発明の第３の実施形態例に係る光変調装置組立体の概略断面構成図である。図４において、図２及び図３と対応する部分には同一符号を付して重複説明を省略する。この実施形態例においては、上述の第１及び第２の実施形態例と同様に、光変調装置１３が形成された基体１２と駆動部１６及び１７とを、支持部材２５の表面と裏面とにそれぞれ配置した例を示す。そしてこの場合、駆動部１６及び１７、または光変調装置１３からの発熱を逃がす排熱部４７及び４８として、例えばヒートシンクを、支持部材２５の側面にそれぞれ接着剤等によって接合した構成とする。配線取り出し部４３及び４４は、図４に示すように、排熱部４７及び４８の側面に沿って延在する構成としてもよく、また図示しないが例えば図４の紙面に直交する矢印ｙで示す方向と直交する支持部材２５の側面、すなわち枠体２６及び２７の側面に沿って、図２又は図３に示す例と同様に延在させる構成としてもよい。この例においても、駆動部を４つ設ける場合は、図３の紙面と直交する矢印ｙで示す方向に沿って、駆動部１６及び１７と隣接して配置してもよい。
このような構成とする場合においても、上述の第１及び第２の実施形態例と同様に、光変調装置組立体１０の小型化及びコストの低減化を図ることができる。更に、排熱部４７及び４８を光変調装置１３、駆動部１６及び１７に近接して設けることによって、より温度上昇を抑えることが可能となる。
【００３０】
〔４〕第４の実施形態例
図５は、本発明の第３の実施形態例に係る光変調装置組立体の概略断面構成図である。図５において、図２〜図４と対応する部分には同一符号を付して重複説明を省略する。この実施形態例においては、光変調装置１３が形成された基体１２を支持部材２５の表面側に配置し、駆動部1６及び１７をそれぞれ、支持部材２５の枠体２６及び２７の外側側面に配置した例を示す。駆動部１６及び１７は、例えば樹脂により１５０℃程度の温度で溶融接着することができる。また、上述の第１〜第３の実施形態例と同様に、光変調装置１３と駆動部１６及び１７の接着は同時に行ってもよく、順次接着してもよい。更に、樹脂等による接着のほか、ネジや押さえ込みによる接合でも可能である。またこの例においても、駆動部を４つ設ける場合は、図３の紙面と直交する矢印ｙで示す方向に沿って、駆動部１６及び１７と隣接して配置してもよい。更に、図５に示すように、支持部材２５の裏面に、ヒートシンク等の排熱部２７を設けてもよい。
このような構成とする場合においても、上述の第１〜第３の実施形態例と同様に、光変調装置組立体１０の大幅な小型化及びコストの低減化を図ることができる。更に、排熱部４７を光変調装置１３、駆動部１６及び１７に近接して設けることによって、より温度上昇を抑えることが可能となる。
【００３１】
以上説明したように、本発明の光変調装置組立体によれば、光変調装置と駆動部とを、支持部材の異なる面に配置する構成とすることによって、従来の構造と比べ、光変調装置組立体全体のサイズを大幅に小型化することが可能となった。
１つの光変調装置に駆動部すなわちドライバーチップを４個使用している場合、上述の第１〜第４の実施形態例において説明したように、支持部材の裏面又は側面に駆動部を配置することによって、１／２程度まで光変調装置組立体の支持部材の面積を低減することが可能となる。現状の光変調装置において支持部材のコストに占める割合は非常に大きく、本発明の構成を採用することにより、コストの３割減が可能となった。
【００３２】
また、光変調装置組立体が小型化、軽量化することにより、接合信頼性も向上し、高い位置精度の確保が可能となる。
−２０℃から８０℃の温度変化を、各３０分１０００サイクル行う温度サイクル信頼性試験を行った場合、従来の光変調装置組立体においては、位置精度変化は標準偏差σで１．５程度であったが、上述の第１〜第４の実施形態例による光変調装置組立体においては、標準偏差σで０．５程度と格段に抑えることができた。
一例として、支持部材の表面に光変調装置と４つの駆動部とを配置した従来品と、上述の第１の実施形態例と同様の構成とし、４つの駆動部を支持部材の裏面側に配置した本発明品とにおいて、位置精度変化を測定した結果を図６に示す。ばらつきが抑えられ、位置精度変化を抑えることができていることがわかる。
【００３３】
次に、本発明の光変調装置組立体を備えた画像投射装置の一実施形態例について説明する。図７にこの実施形態例による画像投射装置の概略構成図を示す。
この場合、上述した本発明構成の光変調装置組立体を３つ備えた画像投射装置を示す。即ち、この画像投射装置１５０は、その光変調部１３０に、例えば光の３原色である赤色光（破線で示す）、緑色光（実線で示す）、青色光（一点鎖線で示す）を射出する例えば半導体レーザ等を備えた光源１００Ｒ、１００Ｇ及び１００Ｂ、ミラー１１１〜１１６、光変調装置組立体１１０Ｒ、１１０Ｇ及び１１０Ｂ、各色光の光軸を合成するＬ型プリズム等より成る色合成部１１７を有し、投射光学系１４０としてレンズ１１８、空間フィルター１１９、スキャンミラー、例えばガルバノミラーより成る走査光学系１２０を備えた構成とされる。
【００３４】
このような構成において、光源１００Ｒ、１００Ｇ及び１００Ｂから射出された光ＬＲ、ＬＧ及びＬＢはそれぞれ、円筒レンズ等の集光レンズ（図示せず）、ミラー１１１、１１３及び１１５を介して光変調装置組立体１１０Ｒ、１１０Ｇ及び１１０Ｂに入射される。なお、集光レンズを円筒レンズとすることによって、図１において示す矢印Ｘで示す長手方向には所定のスポットサイズに集光され、矢印Ｙで示す幅方向には所定幅にコリメートされたコリメート光を光変調装置組立体１１０Ｒ、１１０Ｇ及び１１０Ｂに照射することができる。これらの光変調装置組立体１１０Ｒ、１１０Ｇ及び１１０Ｂによって、所定の画像情報に対応して回折により変調された各色光は、ミラー１１２、１１４及び１１６を介して光軸を合成するＬ型プリズム等より成る色合成部１１７に入射される。この色合成部１１７において光軸を合成された光ＬＦは、レンズ１１８及び空間フィルター１１９を通過して、結像レンズ（図示せず）を介して走査光学系１２０に入射される。空間フィルター１１９は、例えばフーリエ面に配置する。走査光学系１２０として例えばガルバノスキャナーを用いる場合、図７に示すように、矢印ｒで示すように動かすことによって、Ｌ１、Ｌ２、Ｌ３・・・で示すように光が走査される。走査方向を矢印Ｓｃで示す。このように走査された光をスクリーン１２１に投影することによって、１次元型の光変調装置により情報に対応して変調された線状の光が、スクリーン１２１上において２次元画像となって表示される。
【００３５】
なお、このような画像投射装置にあっては、上述した光変調装置内の第２の電極３２が例えば図１０Ａに示すように非駆動状態である場合は、第２の電極３２及び第１の電極３１の頂面で反射された光は空間フィルター１１８で遮られる。一方、第２の電極３２が駆動されて、前述の図１０Ｂに示す駆動状態である場合は、第２の電極３２及び第１の電極３１で回折された±１次（ｍ＝±１）回折光は空間フィルター１１８を通過する。光変調装置として前述の図１１Ａ及びＢにおいて説明したいわゆるブレーズ型構成の光変調装置を用いる場合は、駆動状態では、＋１次回折光のみが空間フィルター１１８を通過する構成となる。このような構成にすることで、スクリーン１２１に投影すべき光のオン／オフ又は階調制御が行われる。すなわち、駆動部から光変調装置の第２の電極３２に印加する電圧を変化させることで、第２の電極３２の頂面と第１の電極３１の頂面の高さの差Δｈ１を変化させることができ、その結果、回折光の角度を変化させることによって空間フィルター１１８を通過する光の強度を変化させ、階調制御を行うことができる。
【００３６】
このような回折格子を利用する光変調装置は、また第１及び第２の電極の寸法形状が、光の波長に対応して非常に微小化されるので、高い解像度、高速なスイッチング動作及び広い帯域幅の表示が可能となる。更には、低い印加電圧で動作させることができるので、非常に小型化された画像投射装置を実現することが期待されている。
またこの光変調装置を用いた画像投射装置は、通常の２次元画像表示装置、例えば、液晶パネル等を用いた画像投射装置と比べて、ガルバノミラーなどによってスキャンを行うので、極めて滑らかで自然な画像表現が可能である。しかも、３原色である赤色、緑色、青色のレーザを光源とし、これらの光を混合する構成とすることが可能であり、極めて広い、自然な色再現範囲の画像を表現することができるといった、従来にはない優れた表示性能を有する。
そして本発明によれば、上述したように、小型化及びコストの低減化が可能な光変調装置組立体を用いることから、画像投射装置の小型化、コストの低減化、さらには、光変調装置組立体の小型軽量化による位置精度変化を抑制する効果によって、より安定して良好な画像を表示することが可能な画像投射装置を提供することができることとなる。
【００３７】
以上説明したように、本発明の光変調装置組立体及び画像投射装置によれば、小型化及びコストの低減化を図ることができる。また、位置精度変化を抑制することができることから、より良好な画像を表示することが可能となる。
更に、回折格子型の光変調装置を用いることによって、高解像度、高広色域でなめらかで良質な画像表示が可能となる。
【００３８】
なお、本発明は、上述の各実施形態例に限定されるものではなく、その他例えば光変調装置として、前述の図１１Ａ及びＢにおいて説明したような、第１及び第２の電極３１及び３２の頂面が傾斜したいわゆるブレーズ型構成とするなど、本発明構成を逸脱しない範囲において、光変調装置組立体及び画像投射装置の各部の材料、構成を変形、変更することが可能である。
【図面の簡単な説明】
【００３９】
【図１】光変調装置の一実施形態例の概略平面構成図である。
【図２】本発明の実施形態例による光変調装置組立体の概略断面構成図である。
【図３】本発明の実施形態例による光変調装置組立体の概略断面構成図である。
【図４】本発明の実施形態例による光変調装置組立体の概略断面構成図である。
【図５】本発明の実施形態例による光変調装置組立体の概略断面構成図である。
【図６】光変調装置組立体の信頼性試験後の位置精度変化のばらつきを示す図である。
【図７】本発明の実施形態例による画像投射装置の概略構成図である。
【図８】光変調素子の一例の概略斜視構成図である。
【図９】Ａは図８に示す光変調素子の第１の電極の概略断面構成図である。Ｂは図８に示す光変調素子の第２の電極の駆動状態における概略断面構成図である。
【図１０】Ａは光変調素子の非駆動状態の概略断面構成図である。Ｂは光変調素子の駆動状態の概略断面構成図である。
【図１１】Ａはブレーズ型構成の光変調素子の非駆動状態の概略断面構成図である。Ｂはブレーズ型構成の光変調素子の駆動状態の概略断面構成図である。
【図１２】従来の光変調装置組立体の概略断面構成図である。
【図１３】従来の光変調装置組立体の概略平面構成図である。
【図１４】従来の光変調装置組立体の概略平面構成図である。
【符号の説明】
【００４０】
１．光変調素子、１０．光変調装置組立体、１２．基体、１３．光変調装置、１４．封止材、１５．カバー部、１６〜１９．駆動部、２１〜２３．接着剤、２４．埋め込み樹脂、２５．支持部材、２６〜２９．枠体、３１．第１の電極、３２．第２の電極、３３．下部電極、３４〜３７．リードワイヤ、１００Ｒ．光源、１００Ｇ．光源、１００Ｂ．光源、１１０Ｒ．光変調装置組立体、１１０Ｇ．光変調装置組立体、１１０Ｂ．光変調装置組立体、１１１〜１１６．ミラー、１１７．色合成部、１１８．レンズ、１１９．空間フィルター、１２０．走査光学系、１２１．スクリーン、１３０．光変調部、１４０．投射光学系、１５０．画像投射装置
【図１】
2007233187.tif 000003
【図２】
2007233187.tif 000004
【図３】
2007233187.tif 000005
【図４】
2007233187.tif 000006
【図５】
2007233187.tif 000007
【図６】
2007233187.tif 000008
【図７】
2007233187.tif 000009
【図８】
2007233187.tif 000010
【図９】
2007233187.tif 000011
【図１０】
2007233187.tif 000012
【図１１】
2007233187.tif 000013
【図１２】
2007233187.tif 000014
【図１３】
2007233187.tif 000015
【図１４】
2007233187.tif 000016